(57)【要約】【課題】  階高さを高くしなくても配管の排水勾配を取ることができる。水廻り室の位置の制約がなく、住戸の平面プランの設計の自由度が増す。【解決手段】  集合住宅８の上下階を隔てる部分であるコンクリートスラブ１の一部に、コンクリートスラブ１の他の部位に対して上面側が凹み且つ下面側が下方に突出した断面Ｕ字状の配管配置用スラブ部２を形成する。配管配置用スラブ部２の上面側の凹みを、配管４を配置するための配管スペース３とする。【選択図】        図１
2010106569.tif 000002
【特許請求の範囲】
【請求項１】
集合住宅の上下階を隔てるコンクリートスラブの一部に、コンクリートスラブの他の部位に対して上面側が凹み且つ下面側が下方に突出した断面Ｕ字状の配管配置用スラブ部を形成し、該配管配置用スラブ部の上面側の凹みを、配管を配置するための配管スペースとして成ることを特徴とする集合住宅の上下階を隔てる部分の構造。
【請求項２】
配管配置用スラブ部の下方に突出した部分を下覆い部で覆って、配管配置用スラブ部と下覆い部との間に形成される空間をダクト・配線スペースとして成ることを特徴とする請求項１記載の集合住宅の上下階を隔てる部分の構造。
【請求項３】
配管配置用スラブ部が、集合住宅における住戸の間口方向の一端部から途中まで又は奥行き方向の一端部から途中まで設けてあることを特徴とする請求項１又は請求項２記載の集合住宅の上下階を隔てる部分の構造。
【発明の詳細な説明】
【技術分野】
【０００１】
本発明は、集合住宅の上下階を隔てる部分に配管を配置するための技術に関するものである。
【背景技術】
【０００２】
従来から、集合住宅における住戸の床は２重床構造となっており、上下階を隔てるコンクリートスラブ上に隙間を介して上床を形成することで構成してあり、上記上床はコンクリートスラブ上に載設した根太、スタッド等により支持してある。
【０００３】
そして、集合住宅においては各住戸にそれぞれ浴室、トイレ、台所といった水廻り室が設けられるが、これらの水廻り室の排水管や給水管等の配管は、上記コンクリートスラブと上床との間の隙間に通して、集合住宅の建物本体に上下階に連続して形成した共用パイプスペースに配置した縦配管に接続している。
【０００４】
ところが、コンクリートスラブはフラットであるため、排水管の排水勾配を取るにはコンクリートスラブと上床との間の隙間の上下高さを高く、つまり、２重床の高さを上げる必要があり、２重床の高さを上げると、階高さが高くなり、集合住宅の制限高さ内で取ることができる階数が少なくなってしまうという問題がある。
【０００５】
また、２重床の高さを上げない場合は、水廻り室と縦配管との距離に制約があり、水廻り室の位置を自由に決めることができず、住戸の平面プランの設計に制約があるという問題がある。
【０００６】
そこで、コンクリートスラブの一部に上面側を凹ませてトレンチゾーンを形成し、このトレンチゾーンに配管を配置するようにしたものが特許文献１に開示してある。
【０００７】
この特許文献１においては、上面側が凹んだトレンチゾーンに配管を配置することで排水勾配を取ることができるようになっている。しかしながら、この特許文献１においては、単にコンクリートスラブの上面側を凹ませただけであるので、トレンチゾーン部分の厚みがコンクリートスラブの他の部分の厚みよりも薄くなり、トレンチゾーン部分がコンクリートスラブの他の部分よりも強度が弱くなる。したがって、上記従来例においては、設計上、トレンチゾーンはコンクリートスラブにおける強度の負担が少ない位置に形成する必要があり、このようにトレンチゾーンを形成する位置に制約が生じ、住戸の平面プランを設計する上での制約要因になるという問題がある。
【特許文献１】特開平８−２８４２８０号公報
【発明の開示】
【発明が解決しようとする課題】
【０００８】
本発明は上記の従来の問題点に鑑みて発明したものであって、階高さを高くしなくても配管の排水勾配を取ることができて、水廻り室の位置の制約がなく、住戸の平面プランの設計の自由度が増す集合住宅の上下階を隔てる部分の構造を提供することを課題とするものである。
【課題を解決するための手段】
【０００９】
本発明の集合住宅の上下階を隔てる部分の構造は、集合住宅８の上下階を隔てる部分であるコンクリートスラブ１の一部に、コンクリートスラブ１の他の部位に対して上面側が凹み且つ下面側が下方に突出した断面Ｕ字状の配管配置用スラブ部２を形成したものである。上記配管配置用スラブ部２の上面側の凹みが配管４を配置するための配管スペース３となっている。
【００１０】
このような構成とすることで、コンクリートスラブ１の一部に形成した配管配置用スラブ部２の配管スペース３に排水管４ａ、給水管４ｂ、給湯管４ｃ等の各種配管４を配置することで、収まり良く各種配管４をまとめて配置することができ、更に、配管４（排水管）の排水勾配を取っても階高さが高くならない。また、配管配置用スラブ部２の凹み部分で排水勾配を取ることができるので、住戸９内における浴室７ａ、トイレ７ｂ、台所７ｃといった水廻り室７の位置に配管４を配置する上での制約がない。しかも、上記のように、配管４（排水管）の排水勾配を取っても階高さが高くならないように配管配置用スラブ部２の上面側を凹ませたにも係らず、配管配置用スラブ部２は下面側が下方に突出しているので、配管配置用スラブ部２の厚みが薄くならず、強度の低下がなく、配管配置用スラブ部２の位置の制約がない。
【００１１】
また、配管配置用スラブ部２の下方に突出した部分１０を下覆い部５で覆って、配管配置用スラブ部２と下覆い部５との間に形成される空間をダクト・配線スペース６とすることが好ましい。
【００１２】
上記のように、配管配置用スラブ部２は強度が低下しないように下方に突出する構造としているが、該下方に突出した部分１０と、これを覆う下覆い部５との間の空間をダクト・配線スペース６とすることで、下方に突出した部分１０をダクト１２や配線１３を通す廊下１１の天井裏空間のようなスペースに位置させることができて、収まりを良くすることができる。
【００１３】
また、配管配置用スラブ部２が、集合住宅における住戸９の間口方向の一端部から途中まで又は奥行き方向の一端部から途中まで設けてあることが好ましい。
【００１４】
このような構成とすることで、浴室７ａ、トイレ７ｂ、台所７ｃといった水廻り室７の位置に対応して、コンクリートスラブ１における配管４を通すのに必要な箇所に配管配置用スラブ部２を設けることができる。したがって、配管４を通す必要がないリビングルーム１４等に対応する位置には配管配置用スラブ部２を形成する必要がなく、リビングルーム１４等の天井高さを高く取れる。
【発明の効果】
【００１５】
本発明は、上記のようにコンクリートスラブの一部に、コンクリートスラブの他の部位に対して上面側が凹み且つ下面側が下方に突出した断面Ｕ字状の配管配置用スラブ部を形成し、該配管配置用スラブ部の上面側の凹みを、配管を配置するための配管スペースとしたので、階高さを高くしなくても配管の排水勾配を取ることができて、水廻り室の位置の制約がない。また、配管配置用スラブ部の厚みが薄くならず、強度の低下がなく、配管配置用スラブ部の位置の制約がない。これにより、住戸の平面プランの設計の自由度が増す。また、階高さが高くならないので、集合住宅の制限高さ内で取ることができる階数が減少しない。
【発明を実施するための最良の形態】
【００１６】
以下、本発明を添付図面に示す実施形態に基いて説明する。
【００１７】
集合住宅８の上下階を隔てる部分であるコンクリートスラブ１の一部に、図１に示すようにコンクリートスラブ１の他の部位に対して上面側が凹み且つ下面側が下方に突出した断面Ｕ字状の配管配置用スラブ部２を形成してある。
【００１８】
ここで、配管配置用スラブ部２の断面形状である断面Ｕ字状はコーナが弧状又は傾斜して面取りしてあるものや、角ばったもの等が含まれる。
【００１９】
上記配管配置用スラブ部２の上面側の凹み部分は配管スペース３となっており、この配管スペース３に上階の住戸９内における浴室７ａ、トイレ７ｂ、台所７ｃといった水廻り室７に給水、給湯するための給水管４ｂ、給湯管４ｃ、上記水廻り室７からの排水を流す排水管４ａ等の各種配管４を配置するようになっている。
【００２０】
また、配管配置用スラブ部２の下面側において下方に突出した部分１０は、図１に示すように、下覆い部５により覆ってある。下覆い部５と配管配置用スラブ部２の下方に突出した部分１０との間にはダクト１２又は配線１３を通すダクト・配線スペース６となっている。ダクト１２の場合はダクト・配線スペース６自体がダクトであってもよく、また、ダクト・配線スペース６内にダクトを通すものであってもよい。
【００２１】
上記のように上面の凹みが配管スペース３となった断面Ｕ字状の配管配置用スラブ部２は下面がコンクリートスラブ１の他の部位に対して下方に突出しているので、断面Ｕ字状の配管配置用スラブ部２は、配管スペース３を設けたと言えども、コンクリートスラブ１の一部である配管配置用スラブ部２の厚みが薄くならず、配管配置用スラブ部２部分の強度が低下しないようになっている。
【００２２】
なお、配管配置用スラブ部２の厚みは、コンクリートスラブ１の他の部位と同一又はほぼ同一の厚みとするのが好ましいが、下面がコンクリートスラブ１の他の部位に対して下方に突出して必要強度を確保できるものであれば、必ずしも、同一又はほぼ同一の厚みである必要はない。
【００２３】
上記配管配置用スラブ部２の上面側の凹み部分は配管スペース３となっており、この配管スペース３に上階の住戸９内における浴室７ａ、トイレ７ｂ、台所７ｃといった水廻り室７に給水、給湯するための給水管４ｂ、給湯管４ｃ、上記水廻り室７からの排水を流す排水管４ａ等の各種配管４を配置するようになっている。
【００２４】
配管配置用スラブ部２は集合住宅８の建物本体に上下階に連続して形成した共用パイプスペース（図示せず）に上記配管スペース３の一端部が連続するように形成する。
【００２５】
図２、図３に示す実施形態においては、水廻り室７を構成する台所７ｃと、浴室７ａ及びトイレ７ｂとが廊下１１の両側に設けられる例であり、この場合は、廊下１１の両側に位置する台所７ｃと、浴室７ａ及びトイレ７ｂからの排水をそれぞれ共用パイプスペースに設けられる排水用の縦管に流すための排水管４ａが配管配置用スラブ部２の配管スペース３に配置される。また、台所７ｃと、浴室７ａ及びトイレ７ｂに、共用パイプスペースに設けられる水道管や給湯管等の縦管からの水や湯を供給するための給水管４ｂ、給湯管４ｃが配置される。
【００２６】
住戸９の床は２重床構造となっており、上下階を隔てるコンクリートスラブ１上に図１に示すように隙間１５を介して上床１６を形成することで２重床を構成してある。
【００２７】
各水廻り室７に設けられる流し台、洗面ボール、便器、浴槽などの水回り設備と、上記配管配置用スラブ部２の配管スペース３に配置される各種配管４とはそれぞれ接続管により接続され、この接続管２０は、コンクリートスラブ１と上床１６との間の上記隙間１５に通される。この接続管２０は長さが短いため、隙間１５の上下高さが高くなくても、十分な排水勾配を取ることができる。
【００２８】
一方、配管配置用スラブ部２の配管スペース３に配置した配管４は、配管スペース３部分においては配管スペース３の底面から上床１６までの高さが上記隙間１５よりも高いので、配管４の長さが長くても、十分な排水勾配を取ることができる。
【００２９】
したがって、本発明においては、住戸９における水廻り室７の位置が共用パイプスペースから水廻り室７までの長さが長くても、十分な排水勾配を取ることができることになり、住戸９において水廻り室７を設ける位置に制約がない。
【００３０】
しかも、本発明においては、前述のように上面の凹みが配管スペース３となった断面Ｕ字状の配管配置用スラブ部２は下面がコンクリートスラブ１の他の部位に対して下方に突出しているので、断面Ｕ字状の配管配置用スラブ部２は、配管スペース３を設けたと言えども、コンクリートスラブ１の一部である配管配置用スラブ部２の厚みが薄くならず、配管配置用スラブ部２部分の強度が低下しないように構成してある。
【００３１】
したがって、コンクリートスラブ１の設計に当たり、配管配置用スラブ部２を設ける位置の制約が少なく、コンクリートスラブ１の上面に配管スペース３となる凹みを形成する位置の制約が少なくなる。
【００３２】
上記の理由により、本発明は、平面プランの設計に当たって、排水勾配を気にすることなく住戸９内における水廻り室７を設ける位置の設計上の自由度が増すことになる。
【００３３】
ところで、一般に、集合住宅８においては、住戸９の廊下１１に沿って浴室７ａ、トイレ７ｂ、台所７ｃといった水廻り室７を配置する。添付図面に示す実施形態では廊下１１を挟んで両側に浴室７ａ及びトイレ７ｂと、台所７ｃとを配置した例であるが、廊下１１の片側に浴室７ａ、トイレ７ｂ、台所７ｃを配置する場合もある。
【００３４】
いずれにしても、廊下１１に沿って浴室７ａ、トイレ７ｂ、台所７ｃ等の水廻り室７を配置するので、コンクリートスラブ１の上階の住戸９の廊下１１の下方の部位に配管配置用スラブ部２を形成するのが好ましい。
【００３５】
このようにコンクリートスラブ１の上階の住戸９の廊下１１の下方の部位に配管配置用スラブ部２を形成すると、該配管配置用スラブ部２の下方に突出した部分１０が、下階の住戸９における廊下１１の上方の部位に位置する。したがって、下方に突出した部分１０と、これを覆う下覆い部５との間に形成されたダクト・配線スペース６が下階の廊下１１の上方に位置することになる。
【００３６】
一般に廊下１１には天井裏空間を形成して該天井裏空間に、浴室７ａ、トイレ７ｂ、台所７ｃ等の水廻り室７の排気をするためのダクト、上記部屋や廊下１１に隣接する他の部屋への配線等が通されるが、本発明においては、この廊下１１の上方に形成されるダクトや配線を通すために形成される天井裏空間内の一部に上記配管配置用スラブ部２の下方に突出した部分１０を突出させ、天井裏空間の残りの部分をダクト・配線スペース６としている。
【００３７】
これにより廊下１１の上方の天井裏空間を有効に利用して配管配置用スラブ部２の下方に突出した部分１０が室内に露出しないように収めると共に、ダクト・配線スペース６を形成してダクト１２や配線１３を通すことができる。
【００３８】
この場合、廊下１１の天井材が下覆い部５の一部を構成することになる。図中１７は廊下１１と他の部屋とを仕切る間仕切り壁である。
【００３９】
図２に示す実施形態においては、配管配置用スラブ部２を、住戸９の中央部に端から端まで（つまり、間口方向又は奥行き方向のいずれかの一端部（共用パイプスペースがあるほうの端部）から他端部まで）形成してある。
【００４０】
このように、住戸９の中央部に配管配置用スラブ部２を端から端まで形成すると、住戸９内において、排水勾配を気にすることなく、住戸９の端から端まで存在する配管配置用スラブ部２に沿った片側又は両側の任意の位置に浴室７ａ、トイレ７ｂ、台所７ｃ等の水廻り室７を自由に配置でき、平面プランの設計の自由度が大幅に増すことになる。
【００４１】
また、図３に示す実施形態においては、配管配置用スラブ部２を、住戸９の中央部に端から途中まで（つまり、間口方向又は奥行き方向のいずれかの一端部（共用パイプスペースがあるほうの端部）から間口方向又は奥行き方向の途中まで）形成してある。
【００４２】
このように、住戸９の中央部に配管配置用スラブ部２を、住戸９の端から途中まで形成すると、配管配置用スラブ部２に対応した位置に廊下１１を形成することができ、プラン対応性がよい。
【図面の簡単な説明】
【００４３】
【図１】本発明の一実施形態の断面図である。
【図２】同上の概略平面図である。
【図３】同上の他の実施形態の概略平面図である。
【符号の説明】
【００４４】
１  コンクリートスラブ
２  配管配置用スラブ部
３  配管スペース
４  配管
４ａ  排水管
４ｂ  給水管
４ｃ  給湯管
５  下覆い部
６  ダクト・配線スペース
８  集合住宅
【図１】
2010106569.tif 000003
【図２】
2010106569.tif 000004
【図３】
2010106569.tif 000005